(57)【要約】【課題】感光体表面を一様に帯電させるため、帯電ローラにＡＣバイアスを印加する際、ＡＣバイアスの周波数に対応して発生する騒音を低減することができる画像形成装置を提供する。【解決手段】感光体１と、この感光体１に対向して配置され感光体１表面に電荷を付与する帯電部材２ａとを有し、帯電部材２ａにＡＣバイアスを印加する画像形成装置において、帯電部材２ａにおける感光体１の回転方向上流側に、感光体１表面に当接する騒音防止用弾性体１０が設けられている。騒音防止用弾性体１０は、エラストマーからなるブレードであり、感光体１表面に対してトレーディング方式に当接するように配置されている。【選択図】図２
2007147971.tif 000002
【特許請求の範囲】
【請求項１】
像担持体と、
この像担持体に対向して配置され前記像担持体表面に電荷を付与する帯電部材とを有し、この帯電部材にＡＣバイアスを印加する画像形成装置において、
前記帯電部材の前記像担持体回転方向上流側に、前記像担持体表面に当接する騒音防止用弾性体が設けられていることを特徴とする画像形成装置。
【請求項２】
前記騒音防止用弾性体は、前記像担持体の回転軸に垂直な断面図上、前記像担持体の回転軸と前記帯電部材の回転軸とを結ぶ直線と、前記像担持体と前記帯電部材とに接触する共通の接線に対する前記像担持体の回転軸を通る法線とで挟まれた範囲の前記像担持体表面に当接していることを特徴とする請求項１に記載の画像形成装置。
【請求項３】
前記騒音防止用弾性体は、前記像担持体の回転軸に垂直な断面図上、前記像担持体の回転軸と前記帯電部材の回転軸とを結ぶ直線と、この直線に対して角度６０度で交叉する前記像担持体の半径を示す直線とで囲まれた範囲の前記像担持体表面に当接していることを特徴とする請求項１に記載の画像形成装置。
【請求項４】
前記騒音防止用弾性体は、エラストマーからなるブレードであることを特徴とする請求項１〜３のいずれか１項に記載の画像形成装置。
【請求項５】
前記騒音防止用弾性体は、前記像担持体の表面に対してトレーディング方式で当接していることを特徴とする請求項４項に記載の画像形成装置。
【請求項６】
前記騒音防止用弾性体は、反発弾性率が７０％以下であることを特徴とする請求項４又は５に記載の画像形成装置。
【請求項７】
前記帯電部材は、ＪＩＳ−Ａ硬度で６０度以上の材質で形成されていることを特徴とする請求項１〜６のいずれか１項に記載の画像形成装置。
【請求項８】
前記騒音防止用弾性体は、前記像担持体と一体化され画像形成装置本体に着脱自在に設けられたプロセスカートリッジを形成していることを特徴とする請求項１〜７のいずれか１項に記載の画像形成装置。
【請求項９】
像担持体と、
この像担持体の表面を帯電させる帯電装置、
前記像担持体の表面に形成された静電潜像を可視像化してトナー像を形成する現像装置、
トナー像転写後の像担持体表面に残留するトナーを回収するクリーニング装置のうち少なくとも一つとを一体化し、画像形成装置本体に対して着脱自在に設けられたプロセスカートリッジにおいて、
このプロセスカートリッジは、請求項１〜７のいずれか１項に記載の騒音防止用弾性体を含むことを特徴とするプロセスカートリッジ。
【発明の詳細な説明】
【技術分野】
【０００１】
本発明は、複写機、ファクシミリ、プリンタ等の画像形成装置及びこの画像形成装置に適用されるプロセスカートリッジに係り、特に、ＡＣバイアス印加時の騒音対策を施した画像形成装置及びこの画像形成装置に適用されプロセスカートリッジに関する。
【背景技術】
【０００２】
電子写真プロセスを用いる画像形成装置は、一般に、像担持体としての感光体を備え、感光体の表面に放電によって電荷を与えて帯電させ、帯電した感光体表面を露光して静電潜像を形成し、形成された静電潜像にトナーを供給して可視像化し、可視像を転写紙表面に転写した後、定着して排出するものである。
可視像を転写した後の感光体表面には未転写のトナー等が残留するため、これらが次の画像形成に悪影響を与えないように、感光体表面はクリーニング装置によりクリーニングされ、次の画像形成プロセスに備えられる。クリーニング装置としては、ゴム等の弾性体からなるクリーニングブレード又は合成樹脂の繊維をブラシ状に形成したクリーニングブラシを感光体表面に摺擦させ、これによって未転写トナー、残留トナー等の付着物を除去するものが一般的に知られている。
【０００３】
ところで、上述したクリーニングブレード、クリーニングブラシ等は、感光体との摺擦を繰り返すと、経時的に摩耗し、欠けや変形等に起因してクリーニング性能が低下するという問題がある。また、クリーニングブレード、クリーニングブラシ等と摺擦する感光体表面も摩耗するため、その寿命は短くなる。
そこで、感光体とその表面をクリーニングするクリーニング部材との間に働く摩擦抵抗を低減して、クリーニング部材及び感光体の摩耗等による不具合を解消するために、感光体表面に潤滑剤を塗布するなどの対策が採られている。
感光体表面に潤滑剤を塗布すると、感光体表面の摩擦係数が低下するので、トナーに外添される流動化剤や帯電制御剤等がクリーニング部材との当接圧で感光体表面に膜状に固着する、所謂フィルミングの発生を防止することができる。また、潤滑剤を塗布することにより、感光体上に現像されたトナーの前記感光体表面との付着力が低減することから、トナー画像の転写性が向上する。
【０００４】
感光体表面に潤滑剤を塗布する手段としては、例えば次ような装置が挙げられる。即ち、例えば、脂肪酸金属塩等の潤滑剤を棒状に成型した固形潤滑剤を所定位置に配置し、この固形潤滑剤と感光体の両方に当接するようにブラシローラを備えたものが挙げられる。この潤滑剤塗布手段によれば、ブラシローラが回転駆動することにより、固形潤滑剤がブラシローラの摺擦により削られて粉体となってブラシローラのブラシ繊維に付着し、そのブラシ繊維に付着した粉体状の潤滑剤が感光体の表面に塗布される。
【０００５】
感光体表面に塗布される潤滑剤量が少なすぎると、塗布ムラが生じ、十分に潤滑剤が塗布されていない部分にクリーニング不良が発生したり、クリーニングブレード等のクリーニング部材の摩耗が進行したりする。一方、潤滑剤の塗布量が多すぎると、感光体表面と接近又は接触する例えば帯電ローラの表面を汚したり、高温高湿の環境下で潤滑剤が吸湿することにより、感光体表面に形成される静電潜像が流れ、画像ボケが発生することがある。
従って、感光体表面に適切な量の潤滑剤を塗布することが重要となる。このため、潤滑剤塗布装置においては、特許文献１、２のように潤滑剤を塗布するブラシローラの繊維の密度を規定したり、固形潤滑剤をブラシローラ側に加圧する加圧部材を設けてその加圧力を規定したり、ブラシローラの感光体表面への食い込み量等を規定する提案がなされている。
【０００６】
【特許文献１】特開平１０−２６０６１４号公報
【特許文献２】特開２００３−５７９９６号公報
【発明の開示】
【発明が解決しようとする課題】
【０００７】
しかしながら、感光体表面に潤滑剤を均一に塗布して感光体とクリーニング部材との間にはたらく摩擦抵抗を低減したとしても、潤滑剤塗布後、像担持体表面を一様に帯電させるために、像担持体に対向して配置された帯電装置としての帯電ローラにＡＣバイアス電圧を印加する際、ＡＣバイアスの周波数に対応して帯電ローラと感光体との間で振動が発生し、騒音の原因となる場合がある。具体的には、帯電ローラに印加されるＡＣバイアス電圧によって電界が周期的に変動し、これに応じて帯電ローラと感光体とが接近及び離間を繰り返して振動し、この振動によって騒音が発生する。
【０００８】
図６は、従来技術における画像形成装置の作像ユニットの概略構成図である。  図６において、感光体１の表面に対し、その回転方向の上流側から順次、固形潤滑剤の塗布ローラ３ａ、クリーニングブレード８ａ、帯電ローラ２ａ及び現像スリーブ４ａが配置されている。そして感光体１の表面を一様に帯電させるために、図示省略した電源によって帯電ローラ２ａにＡＣバイアスを印加すると、像担持体１と帯電ローラ２との間の振動に起因して騒音が発生するという問題がある。
本発明は、上記従来技術の問題点に鑑みてなされたものであって、その課題は、像担持体表面を均一に帯電させるために、前記像担持体に対向して設けられた帯電装置としての帯電ローラにＡＣバイアス電圧を印加した際、ＡＣバイアスの周波数に対応して発生する騒音を低減することができる画像形成装置及びこの画像形成装置に適用されるプロセスカートリッジを提供することにある。
【課題を解決するための手段】
【０００９】
上記課題を解決するため、本発明に係る画像形成装置は、像担持体と、この像担持体に対向して配置され前記担持体表面に電荷を付与する帯電部材とを有し、この帯電部材にＡＣバイアスを印加する画像形成装置において、前記帯電部材の前記像担持体回転方向上流側に、前記像担持体表面に当接する騒音防止用弾性体が設けられていることを特徴とする。
この場合において、前記騒音防止用弾性体は、前記像担持体の回転軸に垂直な断面図上、前記像担持体の回転軸と前記帯電部材の回転軸とを結ぶ直線と、前記像担持体と前記帯電部材とに接触する共通の接線に対する前記像担持体の回転軸を通る法線とで挟まれた範囲の前記像担持体表面に当接していることが好ましい。
また、前記騒音防止用弾性体は、前記像担持体の回転軸に垂直な断面図上、前記像担持体の回転軸と前記帯電部材の回転軸とを結ぶ直線と、この直線に対して角度６０度で交叉する前記像担持体の半径を示す直線とで挟まれた前記像担持体表面に当接しているものとすることができる。
更に、前記騒音防止用弾性体は、エラストマーからなるブレードであることが好ましい。
【００１０】
更にまた、前記騒音防止用弾性体は、前記像担持体の表面に対してトレーディング方式で当接していることが好ましい。
更にまた、前記騒音防止用弾性体は、反発弾性率が７０％以下であることが好ましい。
更にまた、前記帯電部材は、ＪＩＳ−Ａ硬度で６０度以上の材質で形成されているものとすることができる。
更にまた、前記騒音防止用弾性体は、前記像担持体と一体化され、画像形成装置本体に着脱自在に設けられたプロセスカートリッジを形成していることが好ましい。
本発明に係るプロセスカートリッジは、像担持体と、この像担持体の表面を帯電させる帯電装置、前記像担持体の表面に形成された静電潜像を可視像化してトナー像を形成する現像装置、トナー像転写後の像担持体表面に残留するトナーを回収するクリーニング装置のうち少なくとも一つとを一体化し、画像形成装置本体に対して着脱自在に設けられたプロセスカートリッジにおいて、このプロセスカートリッジは、上述したいずれか１つの騒音防止用弾性体を含むことを特徴とする。
【発明の効果】
【００１１】
本発明によれば、像担持体の表面を一様に帯電させるためのＡＣバイアス印加時に帯電部材と像担持体との間で生じる振動を帯電部材の上流側に配置した弾性体によって減衰させることができ、これによって、像担持体表面に振動が伝達することを防止してＡＣバイアス印加時の騒音を低減することができる。
【発明を実施するための最良の形態】
【００１２】
以下、本発明の実施の形態について添付の図面を参照して詳細に説明する。  図１は、本発明に係る画像形成装置の概略構成を示す図である。
図１において、この画像形成装置の略中央には、水平方向に対して僅かに傾斜するように中間転写ベルト５６が設けられている。中間転写ベルト５６は、例えばポリイミド、ポリアミド等の耐熱性材料で構成されており、中抵抗に調整された基体からなる無端状ベルトであって、４つのローラ５２、５３、５４、５５に掛け回して支持され、図中矢印Ａ方向に回転駆動する。中間転写ベルト５６の下方にはイエロー（Ｙ）、マゼンタ（Ｍ）、シアン（Ｃ）、ブラック（Ｋ）の各色のトナーに対応した４つの作像ユニットが中間転写ベルト５６のベルト面に沿って並設されている。
４つの作像ユニットの下方には、各作像ユニットの帯電した感光体表面を各色の画像データに基づいて露光し、潜像を形成する露光装置９が配置されている。
中間転写ベルト５６を挟んで、各感光体１Ｙ、１Ｍ、１Ｃ及び１Ｋと対向する位置には、感光体１上に形成されたトナー像を中間転写ベルト５６に一次転写する一次転写ローラ５１がそれぞれ配置されている。一次転写ローラ５１は、図示省略した電源に接続されており、所定の電圧が印加される。
【００１３】
中間転写ベルト５６のローラ５２（二次転写対抗ローラ）で支持された部分の外側には、二次転写ローラ６１が圧接されている。二次転写ローラ６１は、図示省略した電源に接続されており、所定の電圧が印加される。二次転写ローラ６１と中間転写ベルト５６との接触部は二次転写部となり、ここで中間転写ベルト５６上に転写されたトナー像が更に転写紙に転写される。
中間転写ベルト５６のローラ５５（クリーニング対抗ローラ）で支持された部分の外側には、二次転写後の中間転写ベルト５６の表面をクリーニングする中間転写ベルトクリーニング装置５７が設けられている。
二次転写部の上方には、転写紙に転写されたトナー像を半永久的に定着させる定着装置７０が配置されている。定着装置７０は、内部にハロゲンヒータを有する加熱ローラ７２及び定着ローラ７３に巻き掛けられた無端の定着ベルト７１と、定着ベルト７１を介して定着ローラ７３に対向、圧接して配置される加圧ローラ７４とから主として構成されている。
画像形成装置の下方には、転写紙を載置し、二次転写部に向けて送り出す給紙装置２０が設けられている。
【００１４】
図２は、４つの作像ユニットのうちの１つを示す像担持体としての感光体１の回転軸に垂直な拡大断面図である。４つの作像ユニットは、いずれも同様の構成であるので、トナー色の区別を示すＹ、Ｍ、Ｃ、Ｋの表示を省略してその構成を説明する。
図２において、この作像ユニットは、感光体１を有し、感光体１の周りには、トナー像転写後の感光体１表面をクリーニングするクリーニング装置８、感光体１表面に潤滑剤を塗布する潤滑剤塗布装置３、感光体１表面に電荷を与える帯電装置２、感光体１表面に形成された潜像をトナーで現像してトナー像とする現像装置４が配置されている。
【００１５】
感光体１は、例えば有機感光体であり、ポリカーボネート系の樹脂で表面保護層が形成されている。
帯電装置２は、帯電部材として導電性芯金の外側に中抵抗の弾性層を被覆して構成される帯電ローラ２ａを備えている。帯電ローラ２ａは、図示省略した電源に接続されており、所定の電圧が印加される。帯電ローラ２ａは、感光体１に対して微小な間隙をもって配設される。この微小な間隙は、例えば、帯電ローラ２ａの両端部の非画像形成領域に一定の厚みを有するスペーサ部材を巻き付けるなどして、スペーサ部材の表面を感光体１表面に当接させることで設定される。帯電ローラ２ａには、その表面に接触してクリーニングする帯電クリーニング部材２ｂが設けられている。
【００１６】
次に、現像装置４には、感光体１と対向する位置に、内部に磁界発生手段を備えた現像スリーブ４ａが設けられている。現像スリーブ４ａの下方には、図示省略したトナーボトルから投入されるトナーを現像剤と混合し、攪拌しながら現像スリーブ４ａへ汲み上げるための２つのスクリュー４ｂが備えられている。現像スリーブ４ａによって汲み上げられたトナーと磁性キャリアからなる現像剤は、ドクターブレード４ｃによって所定の現像剤層の厚みに規制され、現像スリーブ４ａに担持される。現像スリーブ４ａは、感光体１との対向位置において同方向に移動しながら、現像剤を担持、搬送し、トナーを感光体１の潜像面に供給する。
尚、図２においては、二成分現像方式の現像装置の構成を示したが、本発明は、これに限るものではなく、一成分現像方式の現像装置を適用することもできる。
【００１７】
潤滑剤塗布装置３には、固定されたケースに収容された固形潤滑剤３ｂと、固形潤滑剤３ｂに接触して潤滑剤を削り取り、感光体１に塗布するブラシローラ３ａとが設けられている。固形潤滑剤３ｂは直方体状に成形されており、加圧部材３ｃによってブラシローラ３ａ側に付勢されている。加圧部材３ｃは、板バネ、圧縮バネ等のバネ部材であることが好ましく、特に、圧縮バネが好適に用いられる。固形潤滑剤３ｂはブラシローラ３ａによって削り取られ消耗し、経時的にその厚みが減少するが、加圧部材３ｃで加圧されているので常時ブラシローラ３ａに当接している。ブラシローラ３ａは、回転しながら削り取った潤滑剤を感光体１表面に塗布する。
【００１８】
ブラシローラ３ａと帯電ローラ２ａとの間には、感光体１表面に当接するように、本発明の特徴部分である騒音防止用の弾性体１０が配置されている。
図３は、本発明装置における騒音防止用弾性体部分を示す説明図である。図３において、騒音防止用の弾性体１０は、その先端部が像担持体１の外表面に当接するように、帯電ローラ２ａの前記感光体１の回転方向上流側であって、クリーニング装置８のクリーニングブレード８ａの下流側、詳しくは、潤滑剤塗布装置３のブラシローラ３ａの下流側に配置されている。
騒音防止用弾性体１０は、ブレード状のエラストマーで形成されており、その反発弾性率は７０％以下であることが好ましい。これによって騒音抑制効果が向上する。ここで、反発弾性率とは、ＪＩＳ  Ｋ６２５５で規定され、リュプケ式反発弾性試験装置にて測定した値である。
騒音防止用弾性体１０は、例えば金属、プラスチック、セラミック等からなる支持部材１０ａに貼着されて支持され、感光体１表面に対し、例えばトレーディング方式で当接するように固定されている。
【００１９】
騒音防止用弾性体１０の上流側に配置されたクリーニング装置８は、クリーニングブレード８ａ、支持部材８ｃ、ハウジング８ｄとから主として構成されている。クリーニングブレード８ａは、例えばウレタンゴム、シリコーンゴム等のゴムを板状に形成したものであり、そのエッジが感光体１表面に当接するように設けられ、トナー像転写後の感光体１上に残留するトナーを除去する。クリーニングブレード８ａは、金属、プラスチック、セラミック等からなる支持部材８ｃに貼着、支持され、感光体１表面に対し、例えばカウンター方式で当接するように配置されている。
なお、図３においては、クリーニングブレード８ａにより残留トナーが除去されてクリーンな状態となった感光体１の表面に、潤滑剤塗布装置３によって潤滑剤が薄膜状に塗布される。この場合、潤滑剤塗布装置３は、クリーニング装置８のハウジング８ｄの内部に配置されているが、ハウジング８ｄの外側であって、帯電ローラ２ａの上流側に設けることもできる。
【００２０】
図４は、騒音防止用弾性体１０と感光体１との位置関係を詳細に示す断面図である。図４において、騒音防止用弾性体１０は、感光体１の回転軸に垂直な断面図上、感光体１の回転軸Ｐ１と帯電ローラ２ａの回転軸Ｐ２とを結ぶ直線Ｂと、前記感光体１と前記帯電ローラ２ａとに接触する共通の接線Ｃに対する前記感光体１の回転軸Ｐ１を通る法線Ｄとで挟まれた範囲Ｅの像担持体１表面に当接するように配置される。これによって、ＡＣバイアスを印加することに起因して発生する騒音を効果的に抑制することができる。この場合、騒音防止用弾性体１０は、像担持体１の回転軸に垂直な断面図上、像担持体１の回転軸Ｐ１と帯電部材２ａの回転軸Ｐ２とを結ぶ直線Ｂと、この直線Ｂに対して、例えば角度６０度で交叉する感光体１の半径を示す直線Ｄとで挟まれた範囲Ｅの像担持体１表面に当接するように配置されていてもよい。
帯電部材としての帯電ローラ２ａは、例えばＪＩＳ−Ａ硬度で６０度以上の材質、例えばヒドリンゴム、ニトリルゴム（ＮＢＲ）等に抵抗調整のためにカーボンブラックや金属酸化物等の導電性物質を分散させたゴム材等で構成されている。これによって、帯電部材表面への汚れの付着を抑制することができる。なお、非接触帯電方式では、帯電部材を高硬度化する必要があり、帯電部材を高硬度化することにより、騒音が発生し易くなるが、本実施形態においては、像担持体１の所定表面に当接する騒音防止用弾性体１０を設けて騒音の問題を解消している。
【００２１】
図５は、騒音防止用弾性体１０及びクリーニングブレード８ａの感光体１表面に対する当接方式を示す図である。図５（ｂ）において、騒音防止用弾性体１０はトレーディング方式で当接している。これによって、装置の省スペース化が図られ、騒音防止用弾性体１０のレイアウト自由度が高くなる。一方、図５（ａ）において、クリーニングブレード８ａは、感光体１の表面に対してカウンター方式で当接している。これによってクリーニング効率を向上させることができる。
【００２２】
以下、このような構成の画像形成装置の動作を説明する。
図２において、感光体１表面に形成された静電潜像を現像装置４によってトナーを用いて可視像化し、得られたトナー画像を、図示省略した転写装置によって例えば中間転写ベルトに転写した後、感光体１表面に残存する残留トナーをクリーニング装置８によって除去する。残留トナーが除去されクリーンな状態となった感光体１表面に、ブラシローラ３ａを当接して潤滑剤を塗布する。潤滑剤を塗布した感光体１表面に対し、図示省略した電源装置を用いて帯電ローラ２ａに所定のＡＣバイアスを印加してその表面を一様に帯電する。このとき、ＡＣバイアスの周波数に対応して帯電部材２ａと感光体１との間に振動が発生し、この振動が騒音の原因となるが、帯電ローラ２ａの上流側に感光体１表面に当接する弾性体１０を設けたことにより、前記ＡＣバイアスの印加に起因する感光体１の振動が抑制され、これによって騒音が効果的に低減される。特に、騒音防止用弾性体１０を上述した図４の矢印Ｅで示された範囲内に配置することにより、騒音防止効果がより向上する。
【００２３】
表１は、騒音防止用弾性体１０の配置位置と騒音防止効果との関係を示すものである。
【００２４】
【表１】
2007147971.tif 000003
【００２５】
表１において、帯電ローラ２ａに帯電バイアスとしてＡＣバイアスを印加させたとき、騒音防止用弾性体１０の配置位置が図４の矢印Ｅの範囲内であれば騒音レベルが良好「〇」な範囲まで低減されることが分かる。これに対して騒音防止用弾性体１０を上記図４の矢印Ｅの範囲外に配置した場合は、騒音レベルが不良「×」であることが分かる。なお、帯電バイアスとしてＤＣバイアスを用いた場合は、直流（ＤＣ）電圧の特性から、上述したような騒音の問題を生じることはなく、騒音レベルは優良「◎」となる。従ってＤＣバイアスを適用した場合は、本発明の範囲外となる。
【００２６】
本実施形態によれば、帯電部材２ａと感光体１との間で生じる振動を帯電部材２ａの上流側に配置した騒音防止用弾性体１０によって減衰させることができ、これによって、感光体１表面に振動が伝達することを回避してＡＣバイアス印加時の騒音を著しく低減することができる。
また、騒音防止用弾性体１０としてエラストマーからなるブレードを用いたことにより、弾性体１０が当接された状態で感光体１を駆動しても、感光体１表面に傷がつくことはない。
更に、本実施形態によれば、騒音防止用弾性体１０を帯電部材２ａの上流側に配置させたので、帯電部材２ａにより形成された電荷を乱すことがない。
【００２７】
本実施形態において、騒音防止用弾性体１０を、潤滑剤の均し部材又はクリーニングブレードと兼用することもできる。
また、本実施形態において、クリーニングブレード８ａを用いて感光体１表面をクリーニングするようにしたが、クリーニングブレード８ａに代えて中抵抗から低抵抗の導電性ブラシにバイアス印加を行ったクリーニングブラシを用いるようにしても良い。感光体又は中間転写体はベルト形状、ローラ形状の何れでも良い。
【００２８】
本実施形態において、騒音防止用弾性体１０は、感光体１と一体化してプロセスカートリッジを構成するようにしてもよい。即ち、感光体１と、帯電装置２、現像装置４及びクリーニング装置８から選択される任意のプロセス手段と、騒音防止用弾性体１０とを一体化させ、画像形成装置本体に着脱自在に形成してプロセスカートリッジとすることができる。この場合、プロセスカートリッジには、帯電装置２を含むことが好ましく、プロセスカートリッジ内における騒音防止用弾性体１０の設置位置は、帯電ローラの像担持体回転方向上流側とする。これによって、騒音防止用弾性体１０が、帯電装置２によって形成された電荷を乱す原因となることがなく、帯電装置によるＡＣバイアス印加時の騒音を効果的に低減するプロセスカートリッジとなる。また、ユーザーメンテナンス性が向上する。
【００２９】
次に、本実施形態おける騒音防止用弾性体１０の感光体１表面に対する当接角度及び当接圧の最適値を求めるため以下の試験を行った。
試験条件は、以下のとおりとした。
弾性体１０の感光体１表面に対する当接角度および当接圧
当接角度    ９°    （当接圧１４００ｍＮ、２８００ｍＮ）
当接角度  １９．７°（当接圧２２００ｍＮ）
当接角度  ２２．７°（当接圧１４００ｍＮ、２８００ｍＮ）
上記条件にて感光体ユニットの空回しを行い、所定時間毎に感光体表面の摩擦係数を測定した結果、当接角度２２．７°、当接圧２８００ｍＮの場合が最も摩擦係数が低く（最低値０．１２、最高値０．２１）、ユニットの振動も他の条件より小さいことが分かった。このことから、騒音防止弾性体１０の感光体１表面に対する角度は、比較的大きい方が良く、当接圧は比較的高い方がよいと考えられる。
【図面の簡単な説明】
【００３０】
【図１】本発明の実施形態に係る画像形成装置の概略構成を示す図である。
【図２】本発明の実施形態に係る画像形成装置における作像ユニットの断面図である。
【図３】本発明の実施形態に係る画像形成装置における騒音防止用弾性体を示す拡大図である。
【図４】騒音防止用弾性体の配置位置を示す説明図である。
【図５】像担持体に対する騒音防止用弾性体当接状態を示す説明図である。
【図６】従来技術の説明図である。
【符号の説明】
【００３１】
１    感光体
２    帯電装置
２ａ  帯電ローラ
２ｂ  帯電クリーニング部材
３    塗布装置
３ａ  ブラシローラ
３ｂ  固形潤滑剤
３ｃ  加圧部材
４    現像装置
４ａ  現像スリーブ
４ｂ  スクリュ
４ｃ  ドクターブレード
８    クリーニング装置
８ａ  クリーニングブレード
８ｃ  ブレード支持部材
８ｄ  ハウジング
９    露光装置
５１  １次転写ローラ
５６  中間転写ベルト
５７  中間ベルトクリーニング装置
６１  二次転写ローラ
【図１】
2007147971.tif 000004
【図２】
2007147971.tif 000005
【図３】
2007147971.tif 000006
【図４】
2007147971.tif 000007
【図５】
2007147971.tif 000008
【図６】
2007147971.tif 000009